(57)【要約】【課題】洗濯機の使い勝手を損なうことなく、床下空間を利用して洗面室に洗濯機を設置することのできる洗濯洗面ユニットを提供し、もって洗面室における省スペース化を図る。【解決手段】洗濯洗面ユニット１の洗面台１１の下部には床下収納空間２２を形成する。この床下収納空間２２には洗濯機１２の下部を収納して、上部を洗面台１１の内部に収める。そして、この洗濯機１２と洗面台１１を、ともに床下収納空間２２に対して昇降自在に設ける。また、洗濯機１２の底部は、床面より高い位置まで上昇可能として、洗濯作業を無理な姿勢をとることなく行えるようにする。【選択図】  図４
2005054378.tif 000002
【特許請求の範囲】
【請求項１】
前面又は上面に開閉扉を有する洗濯機が洗面台の下部に備えられた洗濯洗面ユニットであって、
洗面台の下部には床下収納空間が形成され、この床下収納空間に洗濯機の下部が収納されるとともに、洗濯機が床下収納空間に対して昇降自在とされたことを特徴とする洗濯洗面ユニット。
【請求項２】
洗濯機は洗面台とともに昇降自在とされ、洗濯機の底部が床面より高い位置まで上昇しうることを特徴とする請求項１に記載の洗濯洗面ユニット。
【請求項３】
洗濯機に先立って洗面台が所定高さまで上昇し、続いて洗濯機が床下収納空間から上昇することを特徴とする請求項１に記載の洗濯洗面ユニット。
【請求項４】
前面に開閉扉を有する洗濯機が洗面台の上部に備えられた洗濯洗面ユニットであって、
洗面台の上部の天井懐に天井収納空間が形成され、この天井収納空間に洗濯機が収納されるとともに、洗濯機が天井収納空間に対して昇降自在とされたことを特徴とする洗濯洗面ユニット。
【請求項５】
前面に開閉扉を有する洗濯機が洗面台の上部に備えられた洗濯洗面ユニットであって、
洗面台の上部の壁面に壁裏収納空間が形成され、この壁裏収納空間に洗濯機が収納されるとともに、洗濯機が壁裏収納空間から出没自在とされたことを特徴とする洗濯洗面ユニット。
【発明の詳細な説明】
【０００１】
【発明の属する技術分野】
この発明は、住宅の水まわり空間における省スペース化を図る洗濯洗面ユニットに関する。
【０００２】
【従来の技術】
一般に、住宅の室内に設置する洗濯機は、給排水の便を考慮して洗面室に置かれることが多い。しかし、洗面室は通常それほど広くなく、浴室に隣接して脱衣室を兼ねている場合もある。そのため、洗面台と洗濯機とを並置すると洗面室が狭くなるだけでなく、雑然としてあまり体裁がよくない。
【０００３】
そこで、洗面室の限られたスペースに合理的に洗濯機を設置するため、戸建て住宅の一階部分や逆梁構造の居室の床下空間を利用する方法が提案されている（例えば、特許文献１、特許文献２参照。）。
【０００４】
特許文献１に記載のものは、洗面台を設置する床面に開口が設けられ、その下部に床下収納空間が形成されている。そして、その床下収納空間に洗濯機の下半部を収納するとともに、床面から突出した洗濯機の上半部を洗面台の内部に収納した構成である。洗濯機を使用するには、洗面台下部の扉を開けて洗濯機の上部から洗濯物や洗剤を投入し、洗濯機の操作や給排水は洗面台に設けられた操作パネルで操作する。
【０００５】
また、特許文献２に記載のものは、洗濯機の下半部が床下収納空間に収納され、上半部が洗面台の内部に収納された構成は前記特許文献１と同様であるが、床下収納空間が洗面台の下部だけでなく前面にも設けられ、案内レールが備えられている。そして、洗濯機はこの案内レールに沿ってスライド可能に載置され、洗濯機を洗面台の内部から手前に引き出して使用する構成である。
【０００６】
【特許文献１】
特開平５−３３７２８４号公報
【特許文献２】
実開平６−７４７５５号公報
【０００７】
【発明が解決しようとする課題】
前記特許文献１、２に記載の従来技術は、どちらも洗面台の下部に洗濯機を収納しているので、狭い洗面室でも床下空間を有効に利用して洗濯機を設置することができ、洗濯機が外部に露出しないので美観が損なわれるおそれもない。
【０００８】
しかし、洗濯機の下半部が床下にあるので、洗濯機の使用時には、洗濯機上部の取出口が本来の高さよりも低い位置にあり、洗濯物を出し入れするたびにしゃがまなければならず、洗濯機の使い勝手が非常に悪い。
【０００９】
本発明は以上のような事情にかんがみてなされたものであり、洗濯機の使い勝手を損なうことなく、床下空間を利用して洗面室に洗濯機を設置することのできる洗濯洗面ユニットを提供し、もって洗面室における省スペース化を図ることを目的とする。
【００１０】
【課題を解決するための手段】
前記の目的を達成するため、本発明は、前面又は上面に開閉扉を有する洗濯機が洗面台の下部に備えられた洗濯洗面ユニットであって、洗面台の下部には床下収納空間が形成され、この床下収納空間に洗濯機の下部が収納されるとともに、洗濯機が床下収納空間に対して昇降自在とされたことを特徴とする。
【００１１】
この発明によれば、洗濯機を使用するときには、洗濯機を床下収納空間から上昇させて使用することができるので、洗濯物を出し入れするのに無理な姿勢をとる必要がなく、洗濯機の使い勝手が損なわれない。また、洗濯機を使用しないときには、床下収納空間を利用して洗面台の下部に洗濯機が収納されているので、洗面室における省スペース化を図ることができる。
【００１２】
また、前記の洗濯洗面ユニットにおいて、洗濯機は洗面台とともに昇降自在とされ、洗濯機の底部が床面より高い位置まで上昇しうることを特徴とする。
【００１３】
これによれば、洗濯機を床面以上の高さまで上昇させて、洗濯機の開閉扉の高さ位置を使用者の使いやすい高さに合わせた上で使用することができるので、楽な姿勢で洗濯することができ、さらに使い勝手を向上させることができる。
【００１４】
また、前記の洗濯洗面ユニットにおいて、洗濯機に先立って洗面台が所定高さまで上昇し、続いて洗濯機が床下収納空間から上昇するように構成されてもよい。
【００１５】
これによれば、洗濯機を使用するときには、まず洗面台を上部に上昇させ、次に洗濯機を床下収納空間から上昇させるといった２段階の上昇動作を経て、洗濯機の開閉扉の高さ位置を使用者にとって使いやすい高さとなるように設置する。
このとき、洗濯機と洗面台との間には洗濯に必要な作業空間が形成され、洗濯機の開閉扉を開閉したり、洗濯物を出し入れしたりするのに十分なスペースを確保することができる。
【００１６】
また前記の目的を達成するため、本発明は、前面に開閉扉を有する洗濯機が洗面台の上部に備えられた洗濯洗面ユニットであって、洗面台の上部の天井懐に天井収納空間が形成され、この天井収納空間に洗濯機が収納されるとともに、洗濯機が天井収納空間に対して昇降自在とされたことを特徴とする。
【００１７】
また、本発明の洗濯洗面ユニットは、前面に開閉扉を有する洗濯機が洗面台の上部に備えられ、洗面台の上部の壁面に壁裏収納空間が形成されて、この壁裏収納空間に洗濯機が収納されるとともに、洗濯機が壁裏収納空間から出没自在とされてもよい。
【００１８】
このような本発明によれば、洗濯機を使用しないときは、洗濯機が天井収納空間又は壁裏収納空間に収納されているので、洗濯機が露出せず通常の洗面台と同様の外観が形成されて、洗面室を広く形成することができる。また、洗濯機を使用するときには、洗濯機を天井収納空間又は壁裏収納空間から、使用者の使いやすい位置に移動させて使用することができるので、洗濯機の使い勝手を損なうことなく洗面室における省スペース化を図ることができる。
【００１９】
【発明の実施の形態】
以下、本発明に係る洗濯洗面ユニットの実施の形態について、図面を参照しつつ説明する。なお、本発明に係る洗濯洗面ユニットとしては複数の実施の形態が考えられるが、以下の説明において、そのうちの４つについて示し、各実施の形態に共通する構成には同符号を付して重複する説明を省略している。
【００２０】
＜第１の実施の形態＞
図１〜図４は本発明の実施の形態を示し、図１は洗面室に設置された洗濯洗面ユニットの上面図、図２は図１における洗濯洗面ユニットのＡ−Ａ線断面図、図３は図１における洗濯洗面ユニットのＢ−Ｂ線断面図、図４は図１の洗濯洗面ユニットの洗面台及び洗濯機を上昇させたところを示すＢ−Ｂ線断面図である。
【００２１】
洗濯洗面ユニット１は洗面台１１を備えている。洗面台１１には、洗面器１１１や図示しない給水栓等が設けられている。洗面台１１の下部は、前面側が開口したボックス状の収納部１３とされ、洗面台１１と一体に形成されている。
【００２２】
また、洗濯洗面ユニット１が設けられる洗面室２の床面には開口２１ａが形成されている。開口２１ａａは、洗面台１１の大きさに合わせて設けられる。そして、この開口２１ａａの床下部分には、床下収納空間２２が設けられている。
【００２３】
洗面台１１は、下部の収納部１３が、床面の開口２１ａを貫通して床下収納空間２２まで達するように設置されている。そして、この洗面台１１の収納部１３に、洗濯機１２が収納される。洗濯機１２は、例えば前面に開閉扉１２１を有するドラム式の洗濯機であり、有底筒状の水槽及びドラムが内装されている。これによって、洗濯機１２は、下部が床下収納空間２２に収納され、上部は床面から突出して洗面台１１の内部に収納されている状態となる。
【００２４】
そして、本発明においては、この洗面台１１の収納部１３が、例えば油圧シリンダ等を利用した適宜の昇降装置（図示せず）によって、床下収納空間２２に対して昇降自在に支持される。これにより、床下収納空間２２に、その下部が収容された洗濯機１２を、洗面台１１とともに床上まで上昇させることができる。
【００２５】
特に、例示の形態では、洗濯機１２の底部が床面より高い位置まで上昇可能とされている。洗濯機１２を使用する際、洗濯物等を出し入れする開閉扉１２１の高さＨは、例えば立った状態での腰の高さ程度にあれば、しゃがんだり、姿勢を屈めたりする必要がなく作業をしやすい。そこで、収納部１３の昇降ストロークＳは、床下から床面までではなく、床面よりさらに高い位置までとされている。
これにより、使用者に合わせて、洗濯機１２を使い勝手のよい高さまで上昇させて使用することができる。また、洗濯機１２の修理や交換等も容易になる。
【００２６】
このように、本実施の形態の洗濯洗面ユニット１によれば、洗面室２は、洗面台１１の幅Ｗ１に対応した間口幅Ｗ２を有していれば足りる。すなわち、洗面室２が図１に示した程度の広さを有していれば、洗面台１１と洗濯機１２との両方を洗面室２に設置することが可能となる。したがって、築年数が古く洗面室に十分なスペースがないような住宅であっても、洗面室２に図示した最小限のスペースを確保することができれば、洗面台１１と洗濯機１２とを備えることができる。
【００２７】
かかる洗濯洗面ユニット１は、図５〜図８に示すような構成であってもよい。
図５は洗濯洗面ユニットが設置された洗面室の一例を示す透視図であり、図６は図５の（ａ）正面図及び（ｂ）断面図である。また、図７は図５の洗面室における洗濯機の使用状態を示す透視図であり、図８は図７の（ａ）正面図及び（ｂ）断面図である。
【００２８】
この洗濯洗面ユニット１には、洗面台１１に洗面器１１１と引出し部１１２とが設けられ、洗面台１１の上部には鏡１４が備えられている。また、収納部１３には、洗濯機１２だけでなく、衣類等を入れることのできる収納カゴ１５が収容されている。さらに、この収納部１３の前面の床面には化粧扉２３が立設され、洗濯洗面ユニット１の前方の床面には、床下点検口２４も設けられている。
【００２９】
このような構成の洗濯洗面ユニット１によれば、洗濯機１２を使用しないときには、図５に示すように洗濯機１２がまったく露出せず、通常の洗面台と同様の外観が形成される。また、洗濯機１２を使用するときには、図７に示すように洗面台１１とともに洗濯機１２を上昇させる。そして、洗濯機１２の開閉扉１２１を、使い勝手のよい高さ位置まで上昇させることができるので、無理な姿勢をとることなく洗濯物等の出し入れを行うことができる。
【００３０】
このように、洗濯機１２を洗面室２に設置することが可能となることに加えて、洗面室２の間口いっぱいの洗面台１１を設置して、近年需要の多い大型の洗面器１１１を備えることもできる。したがって、洗面室２のスペースを有効に活用して、洗面時及び洗濯時のどちらの場合にも使い勝手のよい洗面室２とすることができる。
【００３１】
＜第２の実施の形態＞
次に、本発明に係る洗濯洗面ユニットの第２の実施の形態について、図９〜図１２を参照しつつ説明する。
【００３２】
図９は洗濯洗面ユニットが設置された洗面室を示す透視図であり、図１０は図９の（ａ）正面図及び（ｂ）断面図である。また、図１１は図９の洗面室における洗濯機の使用状態を示す透視図であり、図１２は図１１の（ａ）正面図及び（ｂ）断面図である。
【００３３】
本実施の形態の洗濯洗面ユニット１においても、前記第１の実施の形態と同様に床下収納空間２２に洗濯機１２が収納されるが、この洗濯機１２と洗面台１１の昇降動作に特徴がある。
【００３４】
図示するように、この洗濯洗面ユニット１は、洗面台１１の下部の床面に洗濯機１２の大きさよりもやや大きい開口２１ａが設けられ、この開口２１ａの床下部分に床下収納空間２２が形成されている。床下収納空間２２には、収納される洗濯機１２を高さ方向の所定範囲内で昇降可能にする昇降台２５が設けられている。昇降台２５は、例えば油圧シリンダ等を利用した適宜の昇降装置（図示せず）によって昇降自在とされている。
【００３５】
洗濯機１２は上面に開閉扉１２１を備え、この昇降台２５の上に設置される。
そして、床下収納空間２２に洗濯機１２の下半部が収納され、床下収納空間２２内において排水管３に排水用可撓管３１が接続されている。この状態で、開閉扉１２１と洗面台１１とは図１０に示すように近接しており、洗面台１１の下部空間が有効に利用されている。
【００３６】
また、例示の形態では、洗面台１１も昇降可能に設けられている。この洗面台１１には、前記の昇降台２５とは別の機構による油圧シリンダ等を利用した適宜の昇降装置（図示せず）が備えられ、洗面台１１側部のレール１１ａに沿って昇降可能とされている。これにより、洗濯機１２を支持する昇降台２５に先立って洗面台１１を所定高さまで上昇させることが可能となっている。
【００３７】
したがって、洗面室２において洗面や脱衣等を行うときは、図９及び図１０に示すように、洗濯機１２は洗面台１１下部及び床下収納空間２２に収納されて、洗面台１１が通常の使いやすい高さに備えられている。
【００３８】
一方、洗濯機１２を使用するときには、まず洗面台１１を上部に上昇させ、これに続いて昇降台２５及び洗濯機１２を床下収納空間２２から上昇させるといった２段階の上昇動作を経て、洗濯機１２の開閉扉１２１が使用者の腰の高さ程度に位置するように設置される。このとき、図１１及び図１２に示すように、洗濯機１２と洗面台１１との間には洗濯に必要な作業空間が形成されて、洗濯機１２の開閉扉１２１を開閉したり、洗濯物を出し入れしたりするスペースとなる。これにより、使用者は無理な姿勢をとることなく洗濯作業をすすめることができる。
【００３９】
このように洗濯機１２を洗面台１１の下部に形成された床下収納空間２２に収納することによって、洗面室２を可能な限り広く形成するとともに、洗面室２としての機能を充実させることができる。
【００４０】
＜第３の実施の形態＞
次に、本発明に係る洗濯洗面ユニットの第３の実施の形態について、図１３から図１５を参照しつつ説明する。
【００４１】
図１３は洗濯洗面ユニットが設置された洗面室を示す透視図、図１４は図１３の洗面室における洗濯機の使用状態を示す透視図、図１５は洗濯機の収納時を示す透視図である。
【００４２】
本実施の形態の洗濯洗面ユニット１は、前記各実施の形態とは異なって、洗面台１１は昇降せず、洗濯機１２だけが昇降可能に設けられている点に特徴がある。
【００４３】
この洗濯洗面ユニット１が設けられる洗面室２の天井２６には、開口２６ａが設けられている。開口２６ａは、洗濯機１２の大きさよりもやや大きく、洗面台１１の上部に形成されている。そして、この開口２６ａの天井懐部分に天井収納空間２７が設けられている。
【００４４】
天井収納空間２７には、高さ方向の所定範囲内で、この天井収納空間２７から昇降可能な昇降台２５が設けられている。昇降台２５は、例えば油圧シリンダ等を利用した適宜の昇降装置（図示せず）が備えられている。
【００４５】
この昇降台２５には、洗濯機１２が載置されて天井収納空間２７に収納されている。洗濯機１２は、例えば前面に開閉扉１２１を有するドラム式の洗濯機であり、有底筒状の水槽及びドラムが内装されている。かかる昇降台２５により、洗濯機１２が天井収納空間２７に対して昇降自在とされている。
【００４６】
このような構成の洗濯洗面ユニット１によれば、洗濯機１２を使用しないときは図１５に示すように洗濯機１２が洗面台１１上部の天井収納空間２７に収納されているので、洗濯機１２が露出せず通常の洗面室と同様の外観が形成されて、洗面室２を広く使用することができる。
【００４７】
また、洗濯機１２を使用するときには、図１３及び図１４に示すように洗濯機１２を天井収納空間２７から鏡１４に沿って下降させ、開閉扉１２１の位置を使用者にとって使いやすい高さとなるように設置することができる。また、使用者は無理な姿勢をとることなく洗濯機１２を使用して、洗濯物の出し入れ等の作業を容易に行うことができる。
【００４８】
＜第４の実施の形態＞
次に、本発明に係る洗濯洗面ユニットの第４の実施の形態について、図１６〜図２１を参照しつつ説明する。
【００４９】
図１６は洗濯洗面ユニットが設置された洗面室を示す透視図であり、図１７は図１６の断面概略図、図１８は図１６の洗面室における洗濯機の使用状態を示す透視図であり、図１９は図１８の断面概略図である。また、図２０は収納棚の使用時を示す透視図、図２１は図２０の断面概略図である。
【００５０】
本実施の形態の洗濯洗面ユニット１は、前記第３実施の形態と同様に、洗面台１１は昇降せず、洗濯機１２が使用位置まで出没可能に設けられている点に特徴がある。
【００５１】
この洗濯洗面ユニット１では、洗面台１１に備えられた鏡１４が開閉可能に備えられ、この鏡１４の裏側に壁裏収納空間２８が形成されている。壁裏収納空間２８は、上部に小物類を収納できる収納棚２８１を有し、下部に洗濯機収納部２８２を備えている。
【００５２】
洗濯機収納部２８２は、両側面に適宜の出没機構を有する支持手段を備えている。例示の形態において、洗濯機１２は前面に開閉扉１２１を有するドラム式の洗濯機であり、この洗濯機収納部２８２に収納されている。これにより、洗濯機収納部２８２に収納された洗濯機１２は、前記支持手段によって前後方向に摺動可能とされ、壁裏収納空間２８から出没自在なものとなっている。
【００５３】
また、収納棚２８１は両側面にアーム等の昇降装置（図示せず）を備えている。これによって収納棚２８１は、図２０及び図２１に示すように、洗濯機１２の上方から洗濯機１２の前方まで引き下げて使用することができる。
【００５４】
このような構成の洗濯洗面ユニット１によれば、洗面や脱衣等を行うときは、図１６に示すように洗濯機１２が鏡１４の裏側の壁裏収納空間２８に収納されているので、洗濯機１２が露出せず通常の洗面室と同様の外観が形成されて、洗面室２を広く使用することができる。
【００５５】
また、洗濯機１２を使用するときには、図１８及び図１９に示すように、洗濯機１２を壁裏収納空間２８から前方へ引き出して、使用者の手の届く位置に設置することができる。また、使用者は無理な姿勢をとることなく洗濯機１２を使用して、洗濯物の出し入れ等を容易に行うことができる。
【００５６】
以上、前記各実施の形態に示したように、本発明に係る洗濯洗面ユニット１は、洗濯機１２を使用しないときには、その洗濯機１２が床下等の収納空間に収納されているので、限られた空間内においても洗面、脱衣及び洗濯等のそれぞれの空間機能を十分に確保することができる。
【００５７】
さらに、本発明の洗濯洗面ユニット１によれば、例えば住宅等の建物において、洗面室２に隣接する浴室４の面積を洗面室２側へ拡げるような改築も可能となる。
【００５８】
すなわち、図２２（ａ）に示すような狭小の浴室４の面積を、同図（ｂ）のように拡張する改築をする場合に、隣接する洗面室２には洗濯洗面ユニット１を備えうるだけの最小限のスペースを残して、洗面室２側に浴室４を拡張することが可能である。これにより、建物の外部に浴室４を拡張したり、洗濯機１２の設置場所を別途設けたりすることなく、広い浴室４の確保と、洗面室２における洗濯、洗面等の諸機能の充実との両方を実現することができる。
【００５９】
なお、本発明に係る洗濯洗面ユニットは、洗面室に備えられて洗面室の省スペース化を図るだけでなく、洗面台を調理台、洗面器をシンクに置き換えて、洗濯機を床下収納空間や天井収納空間に収納した台所空間にも適用することができる。
【００６０】
【発明の効果】
以上説明したように、本発明に係る洗濯洗面ユニットは、洗面台の下部に床下収納空間が形成され、この床下収納空間に洗濯機の下部が収納される。そして、この洗濯機が、洗面台とともに、床下収納空間に対して昇降自在とされた構成である。これにより、洗面台と洗濯機の設置スペースが一体化して、狭い洗面室でも洗濯機を設置することができるようになる。そして、洗濯機を使用するときには、床下収納空間から洗濯機を上昇させることができるので、洗濯機の使い勝手を損なうことがない。また、洗面や脱衣等を行うときには、床下収納空間を利用して洗面台の下部に洗濯機を収納しておくことができる。
【００６１】
また、本発明に係る洗濯洗面ユニットは、洗面台上部の天井又は壁面に形成された収納空間に洗濯機が収納されて、この収納空間から昇降自在又は出没自在とされた構成である。かかる本発明によっても、洗濯機を使用するときだけ洗濯機を使用者の使い勝手のよい位置に設置させて楽な姿勢で洗濯作業を行うことができ、洗面や脱衣等を行うときには洗濯機を前記の収納空間に収納しておくことができる。
【００６２】
したがって、かかる洗濯洗面ユニットを備えた洗面室は、無駄なスペースが形成されたり、洗面や洗濯における作業性を低下させたりすることなく、限られた空間を効率よく利用することができるので、洗面室における省スペース化と美観の向上を図り、また、浴室の拡張等の水まわり部分の改築にも好適に実施することができる。
【図面の簡単な説明】
【図１】本発明に係る洗濯洗面ユニットの第１の実施の形態を示す上面図である。
【図２】図１における洗濯洗面ユニットのＡ−Ａ線断面図である。
【図３】図１における洗濯洗面ユニットのＢ−Ｂ線断面図である。
【図４】前記洗濯洗面ユニットの洗面台及び洗濯機を上昇させたところを示すＢ−Ｂ線断面図である。
【図５】本発明に係る洗濯洗面ユニットの他の実施の形態を示す透視図である。
【図６】図５の洗濯洗面ユニットの（ａ）正面図、及び（ｂ）断面図である。
【図７】図５の洗濯洗面ユニットにおける洗濯機の使用状態を示す透視図である。
【図８】図７の洗濯洗面ユニットの（ａ）正面図、及び（ｂ）断面図である。
【図９】本発明の第２の実施の形態に係る洗濯洗面ユニットが設置された洗面室を示す透視図である。
【図１０】図９に示す洗濯洗面ユニットの（ａ）正面図、及び（ｂ）断面図である。
【図１１】図９の洗面室における洗濯機の使用状態を示す透視図である。
【図１２】図１１に示す洗濯洗面ユニットの（ａ）正面図、及び（ｂ）断面図である。
【図１３】本発明の第３の実施の形態に係る洗濯洗面ユニットが設置された洗面室を示す透視図である。
【図１４】図１３の洗面室における洗濯機の使用状態を示す透視図である。
【図１５】図１３の洗面室における洗濯機の収納時を示す透視図である。
【図１６】本発明の第４の実施の形態に係る洗濯洗面ユニットが設置された洗面室を示す透視図である。
【図１７】図１６に示す洗濯洗面ユニットの断面概略図である。
【図１８】図１６の洗面室における洗濯機の使用状態を示す透視図である。
【図１９】図１８に示す洗濯洗面ユニットの断面概略図である。
【図２０】前記洗濯洗面ユニットの収納棚の使用時を示す透視図である。
【図２１】図２０に示す洗濯洗面ユニットの断面概略図である。
【図２２】本発明に係る洗濯洗面ユニットを利用した洗面室及び浴室の改築例であり、（ａ）は改築前、（ｂ）は改築後を示す平面図である。
【符号の説明】
１      洗濯洗面ユニット
１１    洗面台
１１１  洗面器
１２    洗濯機
１２１  開閉扉
１３    収納部
１４    鏡
２      洗面室
２１ａ  開口
２２    床下収納空間
２５    昇降台
２６    天井
２６ａ  開口
２７    天井収納空間
２８    壁裏収納空間
２８１  収納棚
２８２  洗濯機収納部
４      浴室
【図１】
2005054378.tif 000003
【図２】
2005054378.tif 000004
【図３】
2005054378.tif 000005
【図４】
2005054378.tif 000006
【図５】
2005054378.tif 000007
【図６】
2005054378.tif 000008
【図７】
2005054378.tif 000009
【図８】
2005054378.tif 000010
【図９】
2005054378.tif 000011
【図１０】
2005054378.tif 000012
【図１１】
2005054378.tif 000013
【図１２】
2005054378.tif 000014
【図１３】
2005054378.tif 000015
【図１４】
2005054378.tif 000016
【図１５】
2005054378.tif 000017
【図１６】
2005054378.tif 000018
【図１７】
2005054378.tif 000019
【図１８】
2005054378.tif 000020
【図１９】
2005054378.tif 000021
【図２０】
2005054378.tif 000022
【図２１】
2005054378.tif 000023
【図２２】
2005054378.tif 000024